(57)【要約】  本発明は、改良したダクト構造を有する洗濯機及び乾燥機を開示する。キャビネット１００は洗濯機及び乾燥機の外装を形成し、タブ２００はキャビネット１００の内側に設置される。ドラム２５０はタブ２００の内側に回転可能に設置される。乾燥ダクト３００はタブ２００の正面から見て、一方に偏心した位置のタブ２００の上側に設置されるので、キャビネット１００の内側の空間活用度が向上し、機器のコンパクト化を図れる。乾燥ダクト３００は、一端部の下側から吐出部３３０が延長された下側部分３１０と、上側部分３２０との二つの胴体部に製作されて組み立てられるので、部品数及び組立工程数が減少して生産性が向上する。吐出部３３０と下側部分３１０とが一体的に形成されるので、ドラムの振動による破損及び空気漏出、これに伴う流動騒音発生が防止される。吐出部３３０はドラム２５０の回転方向側に傾斜して延長され、吐出部３３０の端部ではドラム２５０の回転方向の接線方向に案内部３４０が延長されるので、ドラム２５０内に空気を円滑に供給できる。凝縮ダクト４００はその一端が乾燥ダクト３００に連結され、他端がタブ２００の内部に連結される。ヒータ８００は乾燥ダクト３００の内部に設置され、循環ファン３５０は凝縮ダクト４００に連結される乾燥ダクト３００の他端部に設置される。
2005514130.tif 000002
【特許請求の範囲】
【請求項１】
キャビネットと、
前記キャビネット内に設置される円筒状のタブと、
前記タブ内に回転可能に設置されるドラムと、
一端が前記タブの内部に連結され、前記タブの上側に、前記タブの正面から見て一方に偏心するように配置される乾燥ダクトと、
一端が前記乾燥ダクトに連結され、他端が前記タブの内部に連結される凝縮ダクトと、
前記タブの内部空気を前記凝縮ダクト及び前記乾燥ダクトを経由させて循環させる循環ファンと、
前記空気を加熱するヒータと、
を備えていることを特徴とする洗濯機及び乾燥機。
【請求項２】
前記乾燥ダクトは、その上側面が前記タブの上側面より低く設置されることを特徴とする請求項１に記載の洗濯機及び乾燥機。
【請求項３】
前記乾燥ダクトは、前記タブと隣接した面が傾斜して形成されることを特徴とする請求項１に記載の洗濯機及び乾燥機。
【請求項４】
前記乾燥ダクトは、前記タブと隣接した面が前記タブの外面と同等の曲率を有する曲面からなることを特徴とする請求項３に記載の洗濯機及び乾燥機。
【請求項５】
前記乾燥ダクトは、
前記タブの前方に連結される吐出部が一端部から下方に一体的に延長され、前記凝縮ダクトに連結されるための連通口が他端部の下側に形成され、上部が開放された下側部分と、
前記下側部分の開放された上部を被覆する上側部分と、
を含むことを特徴とする請求項１に記載の洗濯機及び乾燥機。
【請求項６】
前記連通口が形成された下側部分の他端部は、平坦に形成されることを特徴とする請求項５に記載の洗濯機及び乾燥機。
【請求項７】
前記循環ファンは、平坦に形成された前記下側部分の他端部に挿入され設置されることを特徴とする請求項６に記載の洗濯機及び乾燥機。
【請求項８】
前記下側部分は、前記タブの外面と隣接する面が傾斜して形成されることを特徴とする請求項５に記載の洗濯機及び乾燥機。
【請求項９】
前記下側部分は、前記タブの外面と隣接する面が前記タブの外面と同等の曲率を有する曲面からなることを特徴とする請求項５に記載の洗濯機及び乾燥機。
【請求項１０】
前記下側部分の一端部の下側から吐出部が延長される部分は、空気を円滑に案内できるように円筒状に形成されることを特徴とする請求項５に記載の洗濯機及び乾燥機。
【請求項１１】
前記吐出部は、前記下側部分から下側の一方に傾斜して延長されることを特徴とする請求項５に記載の洗濯機及び乾燥機。
【請求項１２】
前記吐出部は、前記タブの前方から見て、前記ドラムの回転方向側に前記空気が吐き出され得るように傾斜して形成されることを特徴とする請求項１１に記載の洗濯機及び乾燥機。
【請求項１３】
前記タブの前方から見て、前記ドラムの回転方向の接線方向に前記空気が吐き出され得るように前記吐出部の端部から前記タブ回転方向の接線方向に延長される案内部がさらに備えられることを特徴とする請求項１２に記載の洗濯機及び乾燥機。
【請求項１４】
前記乾燥ダクトは、その両側の端部が第１固定手段と第２固定手段とによって前記キャビネットの内面にそれぞれ固定されて支持されることを特徴とする請求項１に記載の洗濯機及び乾燥機。
【請求項１５】
前記第１固定手段は、
前記キャビネットの内面のある箇所から突出した複数のブラケットと、
前記乾燥ダクトの一端部から突出し、前記複数のブラケットの間に装入固定される固定用装入部材と、
を含むことを特徴とする請求項１４に記載の洗濯機及び乾燥機。
【請求項１６】
前記ブラケットと前記固定用装入部材とはボルト及びナットにより締結され、相互に固定されることを特徴とする請求項１５に記載の洗濯機及び乾燥機。
【請求項１７】
前記固定用装入部材の側面と前記乾燥ダクトとを連結するように形成され、前記固定用装入部材を補強する複数の補強リブをさらに備えていることを特徴とする請求項１５に記載の洗濯機及び乾燥機。
【請求項１８】
前記第２固定手段は、
前記乾燥ダクトの他端部から突出した固定用突起と、
前記キャビネットの内面の他の箇所から突出し、前記固定用突起を下側から支持する固定用アングルと
を含むことを特徴とする請求項１４に記載の洗濯機及び乾燥機。
【請求項１９】
前記固定用突起と前記固定用アングルとはボルト及びナットにより締結され、相互に固定されることを特徴とする請求項１８に記載の洗濯機及び乾燥機。
【請求項２０】
前記ヒータは、前記乾燥ダクトの内部に設置されることを特徴とする請求項１に記載の洗濯機及び乾燥機。
【請求項２１】
前記凝縮ダクトは、一端が前記乾燥ダクトに連結され、他端が前記タブの後方の下部に連結されることを特徴とする請求項１に記載の洗濯機及び乾燥機。
【請求項２２】
前記タブとドラムとは、水平面に対して平行に設置されることを特徴とする請求項１に記載の洗濯機及び乾燥機。
【請求項２３】
前記タブとドラムとは、水平面に対してその開口部が上側に位置するように傾斜して設置されることを特徴とする請求項１に記載の洗濯機及び乾燥機。
【発明の詳細な説明】
【技術分野】
【０００１】
本発明は、乾燥機能を有する洗濯機及び乾燥機に関し、特に、水分が除去された空気が流動する乾燥ダクトの構造が改良された洗濯機及び乾燥機に関する。
【背景技術】
【０００２】
一般的に洗濯機は、洗剤及び水の作用を利用して洗濯物に付着している汚れを落とすように、洗濯、濯ぎ、脱水の過程を通じて洗浄する機器として、その種類は、大きく攪拌式、過流式及びドラム式洗濯機に分類される。
【０００３】
このうちドラム式は、内面に多数のタンブリングリブが突出したドラムの内側に、水及び洗剤並びに洗濯物を入れ、水平軸を中心に低速回転させ、洗濯物がタンブリングリブによって上下する衝撃によって洗濯が行われる。斯かるドラム式は、洗濯物が殆ど損傷せず、水の使用量が少なく、洗濯物が互いに絡まないという長所がある。
【０００４】
一方、乾燥機は、洗濯済みの濡れた状態の洗濯物を自動的に乾燥させる機器をいう。このような乾燥機は、一般に、キャビネットの内側に設置されたドラムに洗濯物を入れ、そのドラムを回転させながら当該ドラム内に熱風を供給して洗濯物を乾燥させるように構成される。
【０００５】
そして、最近は、上記のドラム式洗濯に乾燥機の機能が備えられた乾燥兼用ドラム洗濯機が実用化され、次第にその使用が増加している。
【０００６】
一方、図１は、従来の洗濯機及び乾燥機のダクト構造を示す図面であり、図２は、従来の洗濯機及び乾燥機の内部構造を示す断面図である。上記図１及び図２を参照すると、従来の洗濯機及び乾燥機は、キャビネット１０と、タブ２０と、ドラム２５と、凝縮ダクト４０と、モータ４と、ヒータ５０と、循環ファン３５と、排水ポンプ６とを備えている。
【０００７】
キャビネット１０は、洗濯機及び乾燥機の外装を形成し、その一方には、投入口１１、及び、これを開閉するためのドア１５が形成される。
【０００８】
タブ２０は、円筒状に形成され、スプリング３及びダンパ４により支持され、キャビネット１０の内側に設置される。
【０００９】
ドラム２５は、タブ２０の内側に回転可能に設置され、このために、モータ４がドラム２５を回転させ得るように設置される。
【００１０】
凝縮ダクト４０は、タブ２０に連結され、乾燥ダクト３０は、その一端がタブ２０に連結され、他端が凝縮ダクト４０に連結されるように設置される。ここで、乾燥ダクト３０は、図１及び図２に示すように、タブ２０の中央の上方に位置するように設置し、その一端には、タブ２０の内側に直接連結される吐出部３３が下方において結合される。このように設置される乾燥ダクト３０は、キャビネット１０の内部空間の上部を横切る支持台３５にボルト等により締結され固定される。
【００１１】
そして、ヒータ５０は、乾燥ダクト３０内に設置され、循環ファン３５は、乾燥ダクト３０と凝縮ダクト４０との連結部分に設置される。また、タブ２０の下側に溜まった水を排水ホース７を通じて外部に排出できるように排水ポンプ６が設置される。未説明符号９は、凝縮ダクト４０の内部に冷却水を供給する冷却水供給装置である。
【００１２】
一方、上記の構造を有する従来の洗濯機及び乾燥機における乾燥ダクト３０は、図３に示すように、上部が開放された下側部分３１と、下側部分３１の開放された上部を被覆する上側部分３２と、下側部分３１の一端の下側に結合される吐出部３３とを備えている。そして、下側部分３１の他端の下側には、凝縮ダクト４０との連結のための連通口３１ａが形成される。
【００１３】
上記のように構成された従来の洗濯機及び乾燥機は、以下の過程を経て洗濯物を乾燥させる。
【００１４】
まず、濡れた洗濯物をドラム２５内に投入し、ドラム２５を回転させる。それと共に循環ファン３５を回転させ、ドラム２５の内部空気を凝縮ダクト４０と乾燥ダクト３０とを経由して循環させる。そして、ヒータ５０を稼動させて空気を加熱する。ヒータ５０により加熱された空気は、ドラム２５の内部で洗濯物を乾燥させ、このとき洗濯物から蒸発した水分は、空気に含まれて凝縮ダクト４０に流入する。
【００１５】
凝縮ダクト４０では、冷却水供給装置９で供給された冷却水と空気とが熱交換し、空気中に含まれた水分が凝縮され除去される。水分が除去された乾燥空気は、乾燥ダクト３０に流入し、乾燥ダクト３０に流入した空気は、ヒータ５０によって加熱された後、再びドラム２５の内部に流入する。従来の洗濯機及び乾燥機は、このような過程を繰り返しながらドラム２５内の濡れた洗濯物の水分を除去し、乾燥させる。
【発明の開示】
【発明が解決しようとする課題】
【００１６】
しかしながら、上記のダクト構造を有する従来の洗濯機及び乾燥機には、次のような問題点がある。
【００１７】
一、乾燥ダクトは、タブの上側の中央部分に位置するように設置されるので、キャビネット内の空間活用度が低下し、機器の高さが全体的に高くなる。
【００１８】
二、乾燥ダクトは、下側部分、上側部分、吐出部に分けられて製作された後にそれぞれ組み立てられるので、その部品数や組立工数が多く、生産性が低下する。
【００１９】
三、ドラムの回転時に、タブ、及び、これに繋がっている乾燥ダクトが共に振動するが、この場合、垂直に連結された下側部分と吐出部との締結部位が弛緩し、隙間が生じるという問題がある。そして、最悪の場合には、下側部分と吐出部との締結部位が破損することもある。
【００２０】
四、振動によって下側部分と吐出部との締結部位に隙間が生じる場合、乾燥ダクトの内部に流動する空気の外部への漏出に伴う騒音が発生する。
【００２１】
そこで、本発明の目的は、洗濯機及び乾燥機におけるキャビネット内部空間の活用度を高め、機器の全体的な高さを低減させるように乾燥ダクトの構造を改良することにある。
【００２２】
他の目的として、洗濯機及び乾燥機に使用される乾燥ダクトの部品数を低減させて、生産性を向上させることにある。
【００２３】
また、他の目的として、洗濯機及び乾燥機に使用される乾燥ダクトの構造を改良して、タブの振動による破損及び空気漏出、そして、空気漏出に伴う流動騒音の発生を防止することにある。
【課題を解決するための手段】
【００２４】
上記目的を達成するための本発明は、キャビネットと、前記キャビネット内に設置される円筒状のタブと、前記タブ内に回転可能に設置されるドラムと、一端が前記タブの内部に連結され、前記タブの上側に前記タブの正面から見て一方に偏心するように配置される乾燥ダクトと、一端が前記乾燥ダクトに連結され、他端が前記タブの内部に連結される凝縮ダクトと、タブの内部空気を前記凝縮ダクトと乾燥ダクトとを経由させ循環させる循環ファンと、前記空気を加熱するヒータとを備えている洗濯機及び乾燥機を提供する。
【００２５】
本発明における前記乾燥ダクトは、その上側面が前記タブの上側面より低く設置され得る。そして、前記乾燥ダクトは、前記タブと隣接した面が傾斜して形成され得るが、例えば、その傾斜面は、前記タブと隣接した面が前記タブの外面と同等の曲率を有する曲面からなり得る。
【００２６】
本発明における前記乾燥ダクトは、前記タブの前方に連結される吐出部が一端部から下方に一体的に延長され、前記凝縮ダクトに連結されるための連通口が他端部の下側に形成され、上部が開放された下側部分と、前記下側部分の開放された上部を被覆する上側部分をと含む。ここで、前記連通口が形成された下側部分の他端部は、平坦に形成される。そして、前記循環ファンは、平坦に形成された前記下側部分の他端部に挿入されて設置される。
【００２７】
一方、前記下側部分は、前記タブの外面と隣接する面が傾斜して形成されるが、前記タブの外面と隣接する傾斜面は、前記タブの外面と同等の曲率を有する曲面からなり得る。また、前記下側部分で前記吐出部が延長される部分は、空気を円滑に案内できるように円筒状に形成される。
【００２８】
一方、本発明における前記吐出部は、前記下側部分から下側の一方に傾斜して延長され得るが、この場合、例えば、前記タブの前方から見て、前記ドラムの回転方向側に前記空気が吐き出され得るように傾斜して形成される。
【００２９】
そして、本発明では、前記タブの前方から見て、前記ドラムの回転方向の接線方向に前記空気が吐き出され得るように、前記吐出部の端部から前記タブ回転方向の接線方向に延長される案内部がさらに備えられ得る。
【００３０】
本発明において、前記乾燥ダクトは、その両側の端部が第１固定手段と第２固定手段とによって前記キャビネットの内面にそれぞれ固定され支持される。ここで、前記第１固定手段は、前記キャビネットの内面のある箇所から突出した複数のブラケットと、前記乾燥ダクトの一端部から突出し、前記複数のブラケットの間に装入固定される固定用装入部材を含む。この際、前記ブラケットと前記固定用装入部材とはボルト及びナットにより締結され、相互に固定される。
【００３１】
そして、第１固定手段は、前記固定用装入部材の側面と前記乾燥ダクトとを連結するように形成されて、前記固定用装入部材を補強する複数の補強リブをさらに含み得る。
【００３２】
また、前記第２固定手段は、前記乾燥ダクトの他端部から突出した固定用突起と、前記キャビネットの内面の他の箇所から突出し、前記固定用突起を下側から支持する固定用アングルとを含む。この際、前記固定用突起と前記固定用アングルとはボルト及びナットにより締結され、相互に固定される。
【００３３】
一方、本発明に係る洗濯機及び乾燥機において、前記ヒータは前記乾燥ダクトの内部に設置される。そして、前記凝縮ダクトは、その一端が前記乾燥ダクトに連結され、他端が前記タブの後方の下部に連結される。
【００３４】
本発明に係る洗濯機及び乾燥機において、前記タブとドラムとは水平面に対して平行に設置されるか、又は、水平面に対してその開口部が上側に位置するように傾斜して設置されることもある。
【発明を実施するための最良の形態】
【００３５】
以下、本発明の好ましい実施の形態を添付の図面に基づいて詳細に説明する。
【００３６】
本発明に係る洗濯機及び乾燥機の実施の一形態の内部構造は、図４及び図５に明確に示されている。これらの図面を参照すると、本発明に係る洗濯機及び乾燥機は、キャビネット１００と、タブ２００と、ドラム２５０と、モータ１３０と、凝縮ダクト４００と、乾燥ダクト３００と、ヒータ８００と、循環ファン３５０とを備えている。
【００３７】
キャビネット１００は、洗濯機及び乾燥機の外装を形成しており、その一方には、例えば前方の一方には、洗濯物の出し入れのための投入口１１０が形成される。そして、投入口１１０の付近には、ヒンジ１６０を中心に回転しながら上記投入口１１０を開閉することができるようにドア１５０が設置される。
【００３８】
タブ２００は、円筒状に形成され、その開口部が投入口１１０に対応するように配置されて、キャビネット１００の内側に設置される。このように設置されるタブ２００は、水平面と平行に設置されるか、又は、ユーザの便宜のためにその開口部がやや上方に向かうように水平面に対して傾斜して設置されることもある。
【００３９】
このように設置されるタブ２００は、その両端がタブ２００の外面とキャビネット１００の内面とにそれぞれ連結された多数のスプリング１１５とダンパ１１６とにより支持され、ドラム２５０から伝達される振動がそれらによって減殺される。
【００４０】
ドラム２５０は円筒状部を有し、その開口部はキャビネット１００の投入口１１０に対応するように配置され、キャビネット１００の内側に回転可能に設置される。このように設置されたドラム２５０の内部には、図５に示すように、多数のタンブリングリブ２５１が突出する。このように形成されたタンブリングリブ２５１は、ドラム２５０の回転時に洗濯物を上方に持ち上げた後、下方に自由落下させる役割を果たす。また、図示してはいないが、ドラム２５０の外周面には多数の通孔が形成されており、洗濯に必要な洗濯水、又は、脱水及び乾燥時に洗濯物から落ちる水が、その通孔を介してドラム２５０とタブ２００との間を移動する。
【００４１】
モータ１３０は、ドラム２５０を回転させるように設置され、排水ポンプ１２０は、排水ホース１２５を介してタブ２００の内側の水をキャビネット１００の外側に排水できるように設置される。
【００４２】
上記の構造を有する本発明に係る洗濯機及び乾燥機において、乾燥ダクト３００は、その一端がタブ２００の内部に連結されるように設置されるが、これは、図４に示すように、タブ２００の正面から見て、タブ２００の左右中心線から一方に偏心した位置のタブ２００の上側に設置される。
【００４３】
このように設置される上記乾燥ダクト３００のより詳細な構成を図６及び図７に基づいて説明する。
【００４４】
本発明に係る乾燥ダクト３００の実施の一形態は、図６に示すように、下側部分３１０と上側部分３２０とにより構成された二つの胴体部からなる。
【００４５】
下側部分３１０は上側が開放され、両端が閉鎖された導管状に形成されており、その一端部では下方に吐出部３３０が一体的に延長される。
【００４６】
ここで、吐出部３３０が延長される部分、即ち、下側部分３１０と吐出部３３０との連結部分は、図６に示すように、流路抵抗を減少させて空気を円滑に案内できるような円筒状に形成される。
【００４７】
このように形成される吐出部３３０は、図４に示すように、下側部分３１０から垂直下方に延長されるように形成されることもあるが、タブ２００の内側に空気を円滑に案内できるように、図６に示すように、一方に傾斜して形成されることが好ましい。このとき、吐出部３３０の傾斜方向は、タブ２００の前方から見て、ドラム２５０の回転方向側に上記空気が吐き出され得る方向に形成される。
【００４８】
吐出部３３０がそのように傾斜して形成されると、吐出部３３０から吐き出された空気と、回転するドラム２５０内に存在する他の空気との衝突による乱気流及び流動騒音を減少させることができる。
【００４９】
一方、吐出部３３０と反対側に位置した下側部分３１０の他端部は、略円筒状に平坦に形成され、その下側の底面には、凝縮ダクト４００に連結するための連通口３１１が貫通して形成される。このように、平坦に形成された下側部分３１０の他端部には、循環ファン３５０が設置される。
【００５０】
上側部分３２０は、下部が開放された導管状に形成されており、下側部分３１０の上端に結合され、下側部分３１０の開放された上部を被覆する。
【００５１】
このとき、下側部分３１０と上側部分３２０とは、ネジ、又は、ボルト及びナットによって相互結合される。
【００５２】
上記のように、下側部分３１０と上側部分３２０とに製作されて組み立てられた乾燥ダクト３００は、タブ２００の左右中心線から一方に偏心した位置に配置され、タブ２００の上側に設置される。このとき、乾燥ダクト３００は、洗濯機及び乾燥機のキャビネット１００の内部空間の活用度を向上させて機器全体の高さを低減させるように、その上面がタブ２００の上面より低く設置される。しかし、凝縮ダクト４００及び他の諸般構成要素との相互関係を考慮して設計する場合、上記のような配置が容易でない場合には、図５に示すように、タブ２００の上面と乾燥ダクト３００の上面との高さの差ができるだけ小さくなるように配置して設置するとよい。
【００５３】
一方、上記のように、タブ２００の左右中心線に対して一方に偏心して配置される乾燥ダクト３００は、タブ２００の外周面との干渉を低減して空間活用度を向上させるために、図６及び図７に示すように、タブ２００の外周面と隣接する面、例えば、下側部分３１０のうちタブ２００の外周面と隣接する一面が傾斜して形成される。このとき、その傾斜面３１５は、例えば曲面からなり、その曲面はタブ２００の外周面と同等の曲率を有することが好ましい。
【００５４】
本発明に係る乾燥ダクト３００の他の実施の形態では、案内部３４０がさらに備えられるが、これを図８に基づいて説明する。
【００５５】
乾燥ダクト３００の他の実施の形態を説明するに際して、図６及び図７の内容と重複するものについては省略し、以下では、案内部３４０に関連した内容のみ記述する。
【００５６】
図８に示すように、案内部３４０は、吐出部３３０の端部から延長されるが、これはタブ２００の前方から見て、ドラム２５０の回転方向の接線方向に延長されることが好ましい。このように形成すると、空気が案内部３４０によりドラム２５０の回転方向の接線方向に吐き出されるため、ドラム２５０内部の空気の流動方向とさらに類似することになり、流動抵抗及び流動騒音を効果的に低減させ得る。
【００５７】
一方、本発明に係る洗濯機及び乾燥機において乾燥ダクト３００は、その両側端部が第１固定手段６００と第２固定手段７００とによってキャビネット１００の内面に固定され支持されるが、これを図面に基づいて詳細に説明する。
【００５８】
図５、図８及び図９を参照すると、第１固定手段６００は、吐出部３３０が形成された乾燥ダクト３００の一端部をキャビネット１００の内側に固定する。第１固定手段６００は、複数のブラケット６２０と一つの固定用装入部材６１０とを含む。ここで、複数のブラケット６２０は、キャビネット１００の内面のある箇所から突出する。そして、固定用装入部材６１０は、図８に示すように、吐出部３３０が形成された乾燥ダクト３００の一端部から突出する。
【００５９】
このように形成された固定用装入部材６１０は、図９に示すように、複数のブラケット６２０の間に挿入され、ネジ、又は、ボルト及びナットによりブラケット６２０に完全に固定される。一方、長く突出した固定用装入部材６１０の強度を補強するため、図９に示すように、固定用装入部材６１０の側面と乾燥ダクト３００の外面とを連結するように複数の補強リブ６１５が形成される。
【００６０】
一方、図５、図８及び図１０を参照すると、第２固定手段７００は、固定用突起７１０と、固定用アングル７２０とを含む。ここで、固定用突起７１０は、吐出部３３０の反対側に位置した乾燥ダクト３００の他端部から突出する。そして、固定用アングル７２０は、下側から固定用突起７１０を支持することができるように、キャビネット１００の内面の他の地点から突出する。このように形成された固定用突起７１０及び固定用アングル７２０は、図１０に示すように、ボルト７３０及びナット７３５により固定されるか、又は、ネジなどにより相互固定される。
【００６１】
上記のように第１固定手段６００と第２固定手段７００とによって乾燥ダクト３００の両端部がキャビネット１００に固定され支持されるように構成されると、洗濯機及び乾燥機の高さを一層低減することができる。
【００６２】
一方、本発明に係る洗濯機及び乾燥機において、ヒータ８００は、乾燥ダクト３００の内面に形成される。
【００６３】
そして、凝縮ダクト４００は、図４及び図５に示すように、その一端が乾燥ダクト３００に連結され、他端がタブ２００の後方の下部に連結される。そして、上記のように設置された凝縮ダクト４００の内部に冷却水を供給できるように、冷却水供給装置１６０が提供される。
【００６４】
上記のように構成された本発明に係る洗濯機及び乾燥機は、次のような過程を通じてドラム２５０の内部に収納された濡れた洗濯物を乾燥させる。
【００６５】
まず、濡れた洗濯物をドラム２５０内に投入し、モータ１３０を作動させてドラム２５０を回転させる。これと共に循環ファン３５０を回転させ、ヒータ８００を稼動させる。
【００６６】
すると、ドラム２５０の内部の空気は、凝縮ダクト４００と乾燥ダクト３００とを順次に経由した後、再びドラム２５０の内部に流入する。この際、乾燥ダクト３００を経由する空気は、ヒータ８００によって高温に加熱される。このように乾燥ダクト３００を経由しながら高温に加熱された空気は、ドラム２５０の内部において洗濯物を乾燥し、この際、洗濯物に含まれた水分がドラム２５０の内部の空気中に蒸発する。
【００６７】
上記のように洗濯物から蒸発した水分が含まれた湿っぽい空気は、凝縮ダクト４００に流入する。一方、冷却水供給装置１６０は、凝縮ダクト４００の内側に冷たい冷却水を持続的に供給する。従って、凝縮ダクト４００内を経由する湿っぽい空気は、上記冷却水と熱交換し、この際、空気中に含まれた水分は凝縮され除去されるので、空気は乾燥した状態となる。
【００６８】
凝縮ダクト４００を経由し乾燥された空気は、循環ファン３５０を経由した後、乾燥ダクト３００内に流入し、乾燥ダクト３００に流入した乾燥した空気は、ヒータ８００によって再び高温に加熱され、ドラム２５０に再供給される。
【００６９】
ところが、本発明に係る乾燥ダクト３００は、吐出部３００が下側部分３１０から一体的に延長された構造を有しているので、ドラム２５０の回転時に振動が発生しても空気が外部に漏出したり激しい流動騒音が発生したりしない。
【００７０】
また、本発明に係る乾燥ダクト３００を経由した空気は、吐出部３３０と案内部３４０とを経由しながらドラム２５０の回転方向、又は、ドラム２５０の回転方向の接線方向に吐き出されるので、ドラム２５０内に存在する空気との衝突により発生する乱気流及び過多な流動騒音を防止することができる。
【００７１】
一方、本発明に係る洗濯機及び乾燥機は、上記の過程を繰り返しながらドラム２５０内に収納された洗濯物を乾燥させる。
【産業上の利用可能性】
【００７２】
一、乾燥ダクトがタブの上側の中央部分に設置されていた従来のものとは異なり、左右の中心から一方に偏心して設置されるので、キャビネットの内部空間の活用度を高めることができ、洗濯機及び乾燥機のコンパクト化を図ることができる。一方、本発明のように乾燥ダクトがタブの一方に偏心して設置された構造は、タブ及びドラムが傾斜して設置された洗濯機及び乾燥機に適用されると、さらに効率的である。
【００７３】
二、乾燥ダクトにおいてタブと隣接する面が傾斜して形成されるので、タブとの干渉を最小化することができ、乾燥ダクトの内部に空気が流入する面を効果的に案内し得る。
【００７４】
三、乾燥ダクトが３つの胴体部に製作されて組み立てられていた従来のものとは異なり、２つの胴体部に製作されて組み立てられるので、部品数や組立工程数が減少し、生産性が向上する。
【００７５】
四、吐出部と下側部分とが一体的に形成されるので、従来の振動による締結部位の破損及び空気漏出、そして、これに伴う流動騒音の発生を根本的に防止することができる。これによって機器の寿命が延長される。
【００７６】
五、吐出部が傾斜して形成され、案内ダクトがドラム回転方向の接線方向に延長されるので、乾燥ダクトを経由してドラムに吐き出された空気と、ドラムの内部に存在する空気との衝突が最小化され、乱気流の発生、及び、これに伴う流動騒音の発生を最小化することができる。
【図面の簡単な説明】
【００７７】
【図１】従来の洗濯機及び乾燥機のダクト構造を示す一部切開斜視図。
【図２】従来の洗濯機及び乾燥機の内部構造を示す断面図。
【図３】従来の洗濯機及び乾燥機における乾燥ダクトの構造を示す分離斜視図。
【図４】本発明に係る洗濯機及び乾燥機の実施の一形態におけるダクト構造を示す一部切開斜視図。
【図５】本発明に係る洗濯機及び乾燥機の内部構造を示す断面図。
【図６】本発明に係る乾燥ダクトの実施の一形態における分離斜視図。
【図７】本発明に係る乾燥ダクトの設置形状を示す部分切開斜視図。
【図８】本発明に係る洗濯機及び乾燥機の他の実施の形態におけるダクト構造を示す一部切開斜視図。
【図９】第１固定手段によって乾燥ダクトがキャビネットに固定された形状を示す断面図。
【図１０】第２固定手段によって乾燥ダクトがキャビネットに固定された形状を示す断面図。
【図１】
2005514130.tif 000003
【図２】
2005514130.tif 000004
【図３】
2005514130.tif 000005
【図４】
2005514130.tif 000006
【図５】
2005514130.tif 000007
【図６】
2005514130.tif 000008
【図７】
2005514130.tif 000009
【図８】
2005514130.tif 000010
【図９】
2005514130.tif 000011
【図１０】
2005514130.tif 000012
【国際調査報告】
2005514130.tif 000013
2005514130.tif 000014